Podtech/llm-jp-corpus-v4-ja_patent huggingface dataset:
(57)【要約】      （修正有）【課題】高さを補なう目的のマットを提供する。【解決手段】低いイスや机やテーブルにマットを乗せて高くする。低い物にマットを乗せて高くする。まな板の下にマットを敷くと、まな板を使う音が小さくなる。ふとんの下にマットを敷くと、クッションのかわりになる。マットの形は丸でも四角でもよい。家具のおまけである。マットの大きさも上に置ければよい。家具の上部と同じくらいがよい。引き出し等の小さい家具にマットを足して、テーブルや台として使う事ができる。マットはハッポウスチロールのように安価なものを想定している。【選択図】図１
2020069372.tif 000002
【特許請求の範囲】
【請求項１】
イスに座る人により高さが合わない時がある。
その高さを調節する為にマットを使う。
【請求項２】
コタツの台が低い時がある。
その高さを調節する為にマットを使う。
【請求項３】
テーブルや机が低い時がある。
その高さを調節する為にマットを使う。
【請求項４】
引き出し等の小さい家具を、テーブル等の台として使う時、その高さを調節する為にマットを使う。
【請求項５】
しきぶとんの下にマットを敷いて、クッションとして使う。
【請求項６】
まな板の下に置いて、まな板を使う音を小さくする。
【発明の詳細な説明】
【技術分野】
【０００１】この発明は、高さを補なう目的のマットに関するものである。【０００２】この発明は家具につくキズを少なくする目的のマットに関するものである。【０００３】この発明のマットはハッポウスチロールのように安価なものを想定している。
【発明の概要】
【発明が解決しようとする課題と効果】
【０００４】低いイスや机やテーブルの高さを補なう為にマットを使う。
マットの分が高くなる。マットは１枚でも２枚でも３枚でも良い。
【０００５】机やテーブルにキズがつきやすいが、マットを使うとキズがつかない。
又は、キズがつきにくい。家具に合った形が使いやすい。
【課題を解決する為の手段】
【０００６】マットを使う。１枚でも数枚でもよい。家具のおまけである。
【発明の効果】
【０００７】イスや机やテーブルの高さを調節できる。
【発明を実施する為の形態】
【０００８】イスや机やテーブルの低い部分にマットを乗せる。
【０００９】コタツの台の上にふとんを被せて、上にマットを乗せる。
その上にコタツテーブルを置く。
【００１０】ふとんの下にマットを敷くと、クッションになる。寝る時に楽になる。
【００１１】まな板の下にマットを敷くと、まな板を使う音が小さくなる。
【図面の簡単な説明】
【００１２】
【図１】  イスの座る部分にマットを乗せる。
【図２】  机やテーブルにマットを乗せる。
【図３】  コタツ台にふとんを乗せてマットを乗せる。その上にコタツのテーブルを置く。
【図４】  しきぶとんの下にマットを置く。
【図５】  まな板の下にマットを置く。
【図６】  マットの形は自由で、家具に合った形や大きさでよい。
【図１】
2020069372.tif 000003
【図２】
2020069372.tif 000004
【図３】
2020069372.tif 000005
【図４】
2020069372.tif 000006
【図５】
2020069372.tif 000007
【図６】
2020069372.tif 000008
(57)【要約】【課題】将棋、囲碁、チェス、オセロ等の盤面に商品としての斬新的魅力を施すものとする。【解決手段】本発明は、盤面四角形罫線内に写真または絵画等のアートを施す魅力的ゲーム盤とする。【特許請求の範囲】
【請求項１】
四角形罫線にピクチャーを合成した将棋、囲碁、チェス、オセロ等のゲーム盤面。
【発明の詳細な説明】
【技術分野】
【０００１】  本発明は、ピクチャーを施した将棋盤に関するものである。
【背景技術】
【０００２】  従来将棋盤は造りや材質、品質等で商品の違いを表していた。
【発明の概要】
【発明が解決しようとする課題】
【０００３】  これまで将棋や囲碁等の盤は、ゲーム目的だけの四角形の罫線が基本的に描かれているのみで、それによって盤面に斬新的な魅力を出すことができなかった。
【課題を解決する手段】
【０００４】  本発明は、図面に示すよう、ゲーム盤面１に描かれた四角形罫線２内に写真または絵画等のアート３を施すものとする。
【発明の効果】
【０００５】  １．四角形罫線２内にアート的ピクチャーが施すことによって、ゲーム盤商品としての斬新さをアピールでき、加えてゲームを終えた後、部屋の飾りとしての魅力が期待できる。
【図面の簡単な説明】
【０００６】
【図１】本発明を示すゲーム盤平面図
【符号の説明】
【０００７】  １  ゲーム盤面  ２  四角形罫線  ３  写真または絵画等のアート
【図１】
2020069364.tif 000002
(57)【要約】      （修正有）【課題】ボールに屈折摩擦抵抗を与えて投げることによって、球を浮き上がらせる又落ちる球にすることで打撃練習に貢献するピッチングマシーンを提供する。【解決手段】ピッチャーの球で言えば下手投げの球ソフトボールのピッチャーの球を約半回転して下から投げ、それに屈折力摩擦力等等を利用して球を浮かせ、又は、球を沈ませることによって球に変化をつけて打撃練習に役立てる。【選択図】図１
2020069365.tif 000002
【特許請求の範囲】
【請求項１】
（図面２）の屈折を利用しスピードつけます（図３）の突起及び摩擦を利用し回転させて  球を浮かせると  ともにコントロールを安定させる
（図２）及び（図３）の材質は鉄  プラスチック  ゴム等です
【請求項２】
（図面５）及び（図面６）また（図面７）のベアリング使用のレールで本体に大きな力がかかるとき  本体が前に移動することで力を軽減かせるまた球を運ぶ要素ができるためコントロールの安定に寄与する  また材質は鉄  ゴム  プラスチック等えす
【発明の詳細な説明】
【発名の分野】
【０００１】ボールを上から下に半回転しスピードつけそれに屈折摩擦  抵抗を与え投げる  それによって球を浮き上がらせる球筋にすることで打撃練習に貢献する
【背景技術】
【０００２】現在のピチングマシーンは球早すぎる  スピード重点を置いている傾向にあると思います。打者はそらをカンで打つ傾向にあると思う基本にかえり反復練習の必要性にきずく
【発明が解決しようとす課題】
【０００３】従来のピッチングマシーンはスピードを争うような傾向にあると思います  打者はカンでカンでバットを振る傾向にある  私のピッチグマシーンは下から浮き上がる球ですから、自然と最後まで見る癖がつきます球は早くなく反復練習がしやすい、打撃のいろいろなことにきずくイマジネーション変化する
【課題を解決しようとする手段】
【０００４】ピッチや―の球で言えば下手投げの球  ソフトボ―ルのピッチャーの球です  約半回転して下から投げますが  それに屈折力  摩擦力を利用して球を浮き上らせます。浮き上がらせるのが特徴です
この球で打撃練習をすることです
【発明の効果】
【０００５】打者にたいしてイマジネーションの変化をもたらす最大の効果です
下から球が浮いてくるような気にさせますから問題提起となる、考えさせます
【図面の簡単な説明】
【０００６】
【図１】本発明も約半回転し球を放出する図です  またＡの意味は（４）の棒が垂直におりる線をＯ度としてＢはすすんで最大角度は４０度とします
【図２】本発明の屈折を利用する図です
【図３】本発明の摩擦  抵抗を利用する部分で内側を書いています
【図４】屈折角度  Ｅは（４）の棒の延長を０度してＦは最大４５度ひらくとする
【図５】本発明の本体の正面図です
【図６】本発明の右側面図です
【図７】本発明の本体の脚元の下部の縦断面図です
【発明を実施するための形態】
【０００７】本発明の動力はモーターです本体の高さ１６０メートル前後とします  打者との距離は短いほどよしとする  １０メートル前後です狭い場所で練習できるようにしたい  また  スピード調整は（番号４）の棒の長短によりスピード調整します  長くなればスピードが出ます短かければ遅くなります  材質は棒は鉄またプラスチックです（番号３）の回転及びコントロール機は材質はゴム  プラスチック等です（番
2020069365.tif 000003
のとき形で変えます
【符号の説明】
【０００８】１  球    ２  受け皿    ３  回転増幅器    ４  棒    ５  屈折機    ６  主軸    ７  屈折機    ８  ストッパー    ９  突起    １０  回転増幅器の内面の突起    １１  モーター箱    １２  モータ―のシャフト    １３  シャフトがはいる    １４  バランス箱    １５  ストップ棒    １６  ベアリングレール    １７  台    １８  角    １９  球の放出空間    ２０  バネ    ２１  ストップ機    ２２  ベアリング
【図１】
2020069365.tif 000004
【図２】
2020069365.tif 000005
【図３】
2020069365.tif 000006
【図４】
2020069365.tif 000007
【図５】
2020069365.tif 000008
【図６】
2020069365.tif 000009
【図７】
2020069365.tif 000010
(57)【要約】【課題】手縫いでよく縫い物をしているが、糸同士が絡み合うことが何度かあった。特に長い糸を使って縫うときなど、絡み方が酷く始末に終えない事態になったことも度々経験した。よくよく注意して原因を調べた結果、針が布地を突き出るときに、弾みで糸が弛むため、針穴の位置にあるべき糸の中点がずれてしまうことが原因であることが分かった。【解決の手段】この状態のまま針を引っ張ってしまうと糸が絡み易くなることが判明し、試行錯誤の結果、一本の針に二箇所の針穴を設けることで解決を図る。【効果】一本の針に  二つの穴を設けることにより、交互に糸を通すと、二番目の穴の位置のところの糸が交差する形になるがこの形が糸の弛み及び一番目の穴にあるべき糸の中点のズレ防止の役目を果たし、その結果糸の絡みが生じずスムーズな縫製が可能となった。、【特許請求の範囲】
【請求項１】
従来からある針穴の位置より針先寄りの隣り合った位置に、最初に糸を通す為の１番目の穴を開け、２番目の穴となる前記針穴との間の表と裏に糸溝を設けることを特徴とする手縫い針。
【発明の詳細な説明】
【技術分野】
【０００１】本発明は手縫い針に関する
【背景技術】
【０００２】従来手縫い針の針穴に通した糸がやや長くなると、布地を縫っている最中に糸が絡んでくることが良くあり、その都度解すのに手間が掛かるのが難点であった。
【発明の概要】
【発明が解決しようとする課題】
【０００３】  通常の順序として、布地を縫う前に最初に針に糸を通し、通された糸は針穴の位置を頂点にして等しい長さに二つ折りにされ、縫ったときに糸の端が布地にしっかり止め置かれるように、糸の端を固く結ぶが、このとき糸を針穴の位置から折り返す点（以下中点と呼ぶ）に印をつけておくと、縫う動作の中で布地より針が引き出されたときに、弾みで糸が弛み、印をつけておいた糸の中点が針穴の位置からずれることになる。以下つづけて縫う場合このズレを修正しながら、縫い続けるわけであるが意外と煩わしい、またズレが大きいと、ときには糸同士が絡み合い、縫うことを中断せざるを得なくなることがあるが、本発明はこの問題を解決しようとするものである。
【課題を解決する為の手段】
【０００４】既存の針穴の隣（より針先に近いほう）の位置に既存の針穴と同じ仕様の糸が、通過可能な大きさの穴を設け、既存の穴との間の針の表面に糸溝を表裏ともにつけることで解決を図る。
【発明の効果】
【０００５】本発明の結果、糸のゆるみが抑えられることで絡みも未然に防ぐことが出来、従来に比べよりスムーズに縫い物をすることが出来る。
【図面の簡単な説明】
【０００６】
【図１】図１は本発明の平面図である。底面図は．平面図と同じである為省略する。その他側面図や正面図、背面図は通常の針と変わるところが無いので省略する。
【発明を実施する為の形態】
【実施例】
【０００７】  糸の両端を揃えた後、その一端を針穴１に通し、裏側に突き出た糸を裏から２の穴に通す、次に残った糸の端を針穴２に通すと、結果的に両側の糸が、針穴２の位置で交差した形になるが、このことが糸の弛み防止の役目を果たし、ひいては絡み防止に繋がっている。
以下針の表裏の両側の糸はそれぞれの糸溝を伝わって針の後方で一緒になった形で、縫い始めることとなる。
【符号の説明】
【０００８】１    一番目の針穴
２    二番目の針穴
３Ａ  表の糸溝
３Ｂ  裏の糸溝
４Ａ  表の糸溝
４Ｂ  裏の糸溝
５    針の先端
【図１】
2020069368.tif 000002
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
従来からある針穴の位置より針先寄りの隣り合った位置に、最初に糸を通す為の一番目の穴を開け、２番目の穴となる前記針穴との間の表と裏に糸溝を設けることを特徴とする手縫い針。
【請求項２】
請求項１の二つの針穴を有する構造上、前記１番目の針穴を通した糸が必然的に前記２番目の穴の位置で交差する状態でもって、布などの生地を縫うことを特徴とする請求項１記載の手縫い針。
(57)【要約】【課題】傘の盗難や不正利用を防ぐために傘が利用者にしか開かない仕様の傘を提供する【解決手段】傘の肢の部分にダイアルロックの技術を応用することにより、暗証番号が分からないと傘を開くことができない仕様の傘を開発した。３つのダイアルが正しい位置に来ることによりボタンが押すことが可能になる。それにより、傘を開くバックルのロックが解錠されて、傘が開く仕様になっている。【選択図】図１
2020069366.tif 000002
【特許請求の範囲】
【請求項１】
柄の部分に、ダイヤルロック式の鍵を内蔵している傘。
【発明の詳細な説明】
【技術分野】
【０００１】  本開発はダイヤルロックの技術を応用し傘の開閉を制御できるようにしたものである。
【背景技術】
【０００２】従来の傘だと、誰でもが利用できる設計になっており、傘立てに置いていると他人に盗難される恐れがあった。
しかし、パスワードを合わせて、ボタンを押さないと傘が開かない仕組みにより、暗証番号を知っている人しか傘を利用することができないため、盗難を防ぐことが可能である。
【発明の概要】
【発明が解決しようとする課題】
【０００３】従来の傘は誰もが利用できる設計になっており、盗難や不正利用のリスクがあり、雨のたびに困る利用者がいる。
【課題を解決するための手段】
【０００４】    肢の部分にダイヤルロック式の鍵を内蔵した傘を用いてパスワードを知っている人しか利用できない仕組みにすることにより不正利用や盗難を防ぐことが可能になるため、雨の日のたびに困る利用者を減らすことができる。
【図面の簡単な説明】
【０００５】
【図１】本開発に関わるロック部分の内部図である。
【図２】本開発の肢の部分の外見の画像である。
【発明を実施するための形態】
【０００６】  本体は１：ボタン（上）２：ボタン（下）３：連結金属板４：パスワード谷５：パスワードホイール６：パスワード軸７：リセットスプリング８：バックルフックで構成されています。合計３桁のパスワードがあり、各桁５：パスワードホイールには４：パスワード谷があります。すべてのダイアルが正しい位置に移動したら、１：ボタン（上）を押すと、３：連結金属版が連動し６：パスワード軸が後退する同時に２：ボタン（下）の部分が下に移動し、８：傘のバックルが機能し傘が開く。１ボタンの上部を離すと、７：リターンスプリングで押し戻されます。なお４：パスワード谷の位置が異なっても傘を閉じ８：バックルフックにより傘が閉じられロックされる。
ダイアル部分で正しいパスワードを入力することにより傘開閉を司るボタンが押せるようになり、傘を開くことが可能になる。
【産業上の利用可能性】
【０００７】傘のロックがついていない今までと違い、個人で傘の盗難防止用としての用途もあり、また傘のシェアリングといった事業への可能性を開いてくれた。無人による管理で傘の貸し出しを登録者しか利用できない仕組みを作ることにより、新サービスの役割も果たす。
【符号の説明】
【０００８】  １：ボタン（上）２：ボタン（下）３：連結金属板４：パスワード谷５：パスワードホイール６：パスワード軸７：リセットスプリング８：バックルフック
【図１】
2020069366.tif 000003
【図２】
2020069366.tif 000004
(57)【要約】【課題】用途に応じて対象者の肌、皮膚表面に塗布する事で特定の効能が得られる製品がある。色々な効能を持つ製品があるが、気温の影響に対する体温の調節機能補助という効能が得られる製品はなかった。【解決手段】この課題に対して赤外線遮断機能を有する機能性光学フィルム、又は同等成分を配合したスキンケア製品を製造する。このスキンケア製品を対象者の肌、皮膚表面に塗布する事で気温の影響に対する体温の調節機能補助という効能を提供する。【選択図】なし【特許請求の範囲】
【請求項１】
赤外線遮断機能を有する機能性光学フィルム、又は同等成分を配合して製造されたスキンケア製品。
（上記スキンケア製品とは対象者の肌、皮膚表面に塗布する事で特定の効能が得られる製品を意味する）
【請求項２】
請求項１に記載の方法により製造され、赤外線遮断機能を有するスキンケア製品。
【発明の詳細な説明】
【技術分野】
【０００１】本発明は「機能性光学フィルムの技術」と「スキンケア製品の技術」の応用技術に関する。
【先行技術文献】
【非特許文献】
【０００２】
【非特許文献１】受付番号：１１８０５９００００１
【０００３】
【非特許文献２】受付番号：１１８０５９０００２
【０００４】
【非特許文献３】受付番号：１１９０５６２０００１
【０００５】
【非特許文献４】受付番号：１１９０５６２００２
【０００６】
【非特許文献５】「２０１８年版  ファインケミカル年鑑」ＣＭＣ出版、Ｐ．１３６−１３９、Ｐ．１９０−１９７  Ｐ．２７４−２８１
【発明の概要】
【発明が解決しようとする課題】
【０００７】用途に応じて対象者の肌、皮膚表面に塗布する事で特定の効能が得られる製品がある。
（１）紫外線遮断機能を有する日やけ止め化粧水
（２）乾燥防止、保湿機能を有するハンドクリーム
（３）ひび、あかぎれ等の治療用軟膏
（４）屋外活動等において虫よけ機能を有する虫よけスプレー
（５）筋肉の炎症制御機能を有する冷却スプレー
（６）汗の臭い、ベタつき制御機能を有する清涼デオドラント
（７）香り付け機能を有する香水
上記のような製品があるが、気温の影響に対する体温の調節機能補助という効能が得られる製品はなかった。
【課題を解決するための手段】
【０００８】この課題に対して、赤外線遮断機能を有する機能性光学フィルム、又は同等成分を配合したスキンケア製品を製造する。
この赤外線遮断機能を有するスキンケア製品を対象者の肌、皮膚表面に塗布する事で、気温が高い場合は外気からの赤外線を遮断し、気温が低い場合は外気への体温放熱を遮断する事で、体温の調節機能補助という効能を提供する。
言うなれば、対象者自身を赤外線遮断機能を有する光学フィルムと同じ状態にして外気から受ける影響を軽減するというものである。
(57)【要約】【課題】照明器具の点灯時に発する紫外線や熱に集まる害虫が、照明器具内に侵入する恐れがある。【解決手段】超音波発生装置を取り入れた照明装置【選択図】図５
2020129464.tif 000002
【特許請求の範囲】
【請求項１】
照明器具光源の点灯および消灯に連動し、害虫にとって不快な超音波を発振および停止することを特徴とした照明器具。
【請求項２】
害虫にとって不快な電磁波を発振する請求項１に記載の照明器具。
【発明の詳細な説明】
【技術分野】
【０００１】
本発明は、照明装置に関する。
【背景技術】
【０００２】
近年の照明器具は、害虫の認識感度が高い紫外線域の波長を多く含む蛍光ランプや水銀ランプなどの光源から、紫外線域の波長が少ないＬＥＤを光源とする照明器具が増えてきている。しかし紫外線域の波長が少ないＬＥＤなどを光源とする照明器具であっても、夜間に屋外などで照明器具を点灯していれば照明器具から発せられる光や熱に誘導され害虫が集まってくる。
また、屋内で使用する照明器具であっても主に屋外などで使用する防水性能などを有した密閉タイプの照明器具でない場合は、照明器具内に害虫が入り込むことが多くある。
【先行技術文献】
【特許文献】
【０００３】
【特許文献１】特開２００４−１５３７９７号公報
【特許文献２】特開２００７−１９６１４２号公報
【発明の概要】
【発明が解決しようとする課題】
【０００４】
本発明は、照明器具が点灯時に発する光や熱などに誘導される害虫の寄り付きや、照明器具内への害虫の侵入を減らすことを目的とする。
【課題を解決するための手段】
【０００５】
前記課題を解決するべく検討した結果、人間や動物の聴覚では認識することができない、害虫にとって不快な超音波や電磁波を発する機能を照明器具に備えたことを特徴とする。
【発明の効果】
【０００６】
本発明によれば照明器具に害虫が寄り付くこと、および照明器具内に害虫が侵入することを減らすことで人の不快感を軽減することができる。また照明器具内へ害虫が侵入する機会が少なくなり、照明器具内に配置され電子部品を実装した点灯装置基板表面および点灯装置基板裏面の電気回路や、照明器具外に配置されたＬＥＤを実装した光源基板の電気回路に害虫が接することなどで生じる電気回路短絡などの不具合を軽減できる。
【図面の簡単な説明】
【０００７】
【図１】実施形態の照明器具１０の外観を示す下方からの斜視図
【図２】実施形態の照明器具１０の外観を示す下方からの分解図
【図３】照明点灯装置の回路構成例
【図４】超音波発振器の回路構成例
【図５】実施形態の照明器具１０の回路構成例
【発明を実施するための形態】
【０００８】
本考案技術は、照明器具全般に適応できる。尚、照明器具全般とは、施設用ベース器具、街路灯、道路灯、住宅用シーリングライト、ＬＥＤ電球などがある。
【０００９】
建築物の天井または壁面などに取り付けられ、床面や壁面を照射する施設用ベース器具でＬＥＤを光源とする照明器具を例に実施形態を図１〜図５を例に説明する。
【００１０】
図１、図２に照明器具１０の構成例を示す。建築物に照明器具１０を固定するための照明器具本体２０、照明器具本体２０にはＬＥＤ光源３０、ＬＥＤ光源３０を点灯させる照明点灯装置４０、超音波を発振する超音波発振器５０、照明点灯装置４０および超音波発振器５０を収納する収納ケース６０、照明点灯装置４０および超音波発振器５０に電力を供給するための屋内配線である電源線１００を中継する複数の接続部がある電源端子台８０を主に構成する。
【００１１】
図３に照明点灯装置４０の回路構成の一例を示す。照明点灯装置４０の電子部品などを実装する図示しない照明点灯基板４２、
照明点灯基板４２にパターン化したフィルター回路４４２、整流回路４４４、駆動回路４４６などで照明点灯回路４４を構成する。
【００１２】
図４に超音波発振器５０の回路構成の一例を示す。超音波を発振する超音波発振器５０は、電子部品などを実装する図示しない発振器基板５２、
発振器基板５２にパターン化された発振制御回路５４２、発振回路５４４、増幅回路５４６、超音波発振素子５６などで超音波発振回路５４を構成する。
【００１３】
害虫が照明器具１０に集まってくる主な要因は、照明器具１０を使用している時（以下、点灯時という）に照明器具１０が発する光および熱に誘導される。逆に、照明器具１０を使用していない時（以下、消灯時という）には照明器具１０は、光および熱を発していないので照明器具１０に害虫が誘導されることは少ない。
即ち、照明器具１０への害虫の集まり、および侵入を軽減するには、照明器具１０の点灯時に害虫にとって不快な超音波を発振していれば良い。
【００１４】
前記から、照明点灯装置４０と超音波発振器５０を駆動するための電源供給および電源遮断を一括で行える回路構成とすることで、ＬＥＤ光源３０の点灯時に超音波を発振し、ＬＥＤ光源３０の消灯時には不要な超音波の発振を停止することができる。照明の明かりと害虫よけの超音波の発振を連動させる制御を可能にする。
【００１５】
具体的な構成例を図５に示す。照明点灯装置４０の照明点灯回路４４と超音波発振器５０の超音波発振回路５２を、一枚の制御基板７０にパターン構成することで、電源供給および電源遮断を一括で行うことを可能にする。
尚、制御回路４４と超音波発振器５０の発振器回路５２は、複数の制御基板で構成しコネクタなどで接続してもよい。
【００１６】
照明点灯回路４４と超音波発振回路５２を構成した制御基板７０を収納ケース６０に収めることで感電保護などの安全性確保、および照明器具本体２０への取付性を容易にする。
【００１７】
前記により、電源端子台８０を介し電源線１００から供給される電源は、照明点灯装置４０と超音波発振器５０への電源供給および電源遮断を一括で行えることから、電源線１００の途中に設けたスイッチ１１０の操作でＬＥＤ光源２０の点灯／消灯、および超音波の発振／停止が連動する。
尚、照明器具１０の点灯および消灯の操作は、スイッチ１１０の操作に限らず図示しないリコモン操作、図示しないタイマー制御などで行ってもよい。
【００１８】
害虫が照明器具１０に誘導されやすいＬＥＤ光源２０の点灯時には確実に超音波を発振することで害虫の寄り付きや、照明器具内への害虫の侵入を軽減することが出来る。また、ＬＥＤ光源２０の消灯時には不要な超音波の発振を停止することが出来る。
【符号の説明】
【００１９】
１０    照明器具
２０    照明器具本体
３０    ＬＥＤ光源
４０    照明点灯装置
４２    照明点灯基板
４４    照明点灯回路
４４２  フィルター回路
４４４  整流回路
４４６  駆動回路
５０    超音波発振器
５２    超音波発振器基板
５４    超音波発振回路
５４２  発振制御回路
５４４  発振回路
５４６  増幅回路
５６    超音波発振素子
６０    収納ケース
７２    制御基板
８０    電源端子台
１００  電源線
１１０  ＯＮ-ＯＦＦスイッチ
【図１】
2020129464.tif 000003
【図２】
2020129464.tif 000004
【図３】
2020129464.tif 000005
【図４】
2020129464.tif 000006
【図５】
2020129464.tif 000007
(57)【要約】【課題】本発明は、分岐を有する立体迷路ピースを提供する。【解決手段】立体迷路ピースの１面又は隣接する２面又はｘｙｚ３面の平板状面の角隅から残った頂点に向かって辺となる支柱を設けた分岐を有する立体迷路ピースと、且つ、立方体の１面の四隅から残った頂点に向かって辺となる支柱を４本設け、該１面の四隅の頂点を辺となる支柱で連絡したことを特徴とする６方向の分岐を有することを特徴とする分岐を有する立体迷路ピース。【選択図】図１
2020179118.tif 000002
【特許請求の範囲】
【請求項１】
立方体の１面又は隣接する２面又はｘｙｚ３面の平板状面の角隅から残った頂点に向かって辺となる支柱を設けたことを特徴とする分岐を有する立体迷路ピース。
【請求項２】
立方体の１面の四隅から残った頂点に向かって辺となる支柱を４本設け、該１面の四隅の頂点を辺となる支柱で連絡したことを特徴とする６方向の分岐を有する立体迷路ピース。
【発明の詳細な説明】
【技術分野】
【０００１】  本発明は、組み合わせて立体迷路を形成するための動線が分岐する立体迷路用ピースに関する。
【背景技術】
【０００２】  立方体に玉の通路を設けたピースを並べ積み上げて、隣り合うピース間に玉を移動させる立体迷路が提案されている。上記特許文献１乃至２記載の立体迷路では、立方体に穴を穿って通路を形成しているが、時間と費用を要し、金型成形が難しく、立体迷路用ピースが大量生産されなかった。これに対し特許文献３では金型成形を容易とするため玉の動線を平板状面にて作成することを提案している。
【先行技術文献】
【特許文献】
【０００３】
【特許文献１】実開昭６２−６１２７９号公報
【特許文献２】特開２００６−６１９号公報
【特許文献３】特願２０１９−５１８１２９号公報
【発明の概要】
【発明が解決しようとする課題】
【０００４】  特許文献３の平板状面にて作成した立方体の一方向に連続した３面でなるＵ字ピースはＴ字の３方向の分岐が得られるが、ｘｙｚ軸方向への３方向、４方向から６方向の分岐が有る方が迷路として面白い。
本発明は、以上のような問題を解決するためになされたものである。
【課題を解決するための手段】
【０００５】    方向を分岐するピースを「辺となる支柱」を設けて頂点を確保する、次の（イ）〜（二）の４種類のピースが考えられる。
（イ）立方体の１面の平板状面四隅から残った頂点に向かう「辺となる支柱」を４本設ける。
（ロ）平板状面の隣り合う２面の四隅から残った頂点に向かう「辺となる支柱」を２本設ける。
（ハ）ｘｙｚ面の隣り合う３面の四隅の一点から残った頂点に向かう「辺となる支柱」を１本設ける。
（二）前記（イ）の平板状面を無くし該平板状面の四隅を連絡する「辺となる支柱」を４本設ける。
以上を特徴とする立体迷路ピースである。
【発明の効果】
【０００６】  （イ）本発明に係る立体迷路用ピースは、辺となる支柱の間が開いた空間となるため面に穴を設けた効果が得られる。
（ロ）金型射出成形が容易となり使用樹脂量が少なくなる。
（ハ）ピースの置き方により分岐数が変化するため頭の体操となる。
【図面の簡単な説明】
【０００７】
【図１】立方体の１面の平板状面の４隅の頂点から「辺となる支柱」を残った４個の頂点まで設けた５方向の分岐をもつピースの斜視図である。
【図２】隣接した２面の頂点から「辺となる支柱」を残った２個の頂点まで設けた４方向の分岐を持つピースの斜視図である。
【図３】ｘｙｚ面の三面から「辺となる支柱」を残った１個の頂点まで設けた３方向の分岐をもつピースの斜視図である。
【図４】図１に示したピースの平板状面を無くしその四隅を「辺となる支柱」で連絡した全方向の分岐をもつピースの斜視図である。
【図５】図２のピース８個で２ｘ２ｘ２の立体迷路を組み合わせて箱に入れたすべてのピースを通過する経路の一例を示す模式図である。
【図６】特許文献３のＵ字ピースの斜視図である。
【発明を実施するための形態】
【０００８】    以下、本発明で実施するための形態について説明する。
（イ）図１の立方体の１面の平板状面の四隅の頂点から「辺となる支柱」を４個の残った頂点まで設けた５方向の分岐をもつ立体迷路ピース。
（ロ）図２の隣接した２面の２つの隅の頂点から「辺となる支柱」を２個の残った頂点まで設けた４方向の分岐を持つ立体迷路ピース。
（ハ）図３のｘｙｚ面の三面の１つの隅の頂点から「辺となる支柱」を残った１個の頂点まで設けた３方向の分岐をもつ立体迷路ピース。
（二）図４の（イ）に示したピースの平板状面を無くしその四隅を「辺となる支柱」で連絡した全方向の分岐をもつピース。
本発明は以上のような構成である。
本発明を使用するときは３ｘ３ｘ３や４ｘ４ｘ４の立体迷路を作成するとき、図６で示したＵ字ピースの分岐方向の補助としてのピースである。「辺となる支柱」の先が頂点を確保することにより、又、他のピースの面や面の厚みの側面が支柱の端に接してピース同士の安定性を得ることができ、且つ、他のピースの面又は面の辺と「辺となる支柱」で玉が通過する空間を得ることができる。
（二）で示した全方向の分岐を持つピースは迷路ピースを収納する箱の角に使用すれば箱の３面に接するため３方向の分岐しか持たず、（ハ）のｘｙｚ面の三面の１つの隅の頂点から「辺となる支柱」を残った１個の頂点まで設けた３方向の分岐をもつ立体迷路ピースと同じ分岐となる。３ｘ３ｘ３の立体迷路の箱の辺の中央で使用すれば箱の２面に接するため４方向の分岐となるため、（ロ）の隣接した２面の２つの隅の頂点から「辺となる支柱」を２個の残った頂点まで設けた４方向の分岐を持つ立体迷路ピースと同じ分岐となる。又、箱の面だけでなく他のピースの面との隣接する数により分岐数は減少する。３ｘ３ｘ３の立体迷路では箱の壁に接しない中心の１か所のみで全方向分岐として使用できるが４ｘ４ｘ４の立体迷路では中心部の８か所で使用が可能となる。
【０００９】  各ピースは立方体の頂点に接し立方体の空間を確保している。「辺となる支柱」は辺に接し且つ辺を形成しており直交する２平面をもち他のピースとも接するが、他のピースと接しない内側面は曲面でもよい。
１辺が２０ｍｍのピースの場合、他のピースの面や面の厚みの側面に接するとき支柱の太さが３ｍｍ以上の方がピース同士の安定性を得ることができる。「辺となる支柱」の断面を４ｘ４ｍｍの正方形とすると支柱間は１２ｍｍとなり１１ｍｍ位の玉を転がすことができる。
図１の様に「辺となる支柱」の先端の頂点部の間の空間が空いているため玉の動く空間を広くすることができる。
【符号の説明】
【００１０】      １  辺となる支柱
２  立体迷路ピースの平板状面
３  箱
４  Ｕ字ピース
【図１】
2020179118.tif 000003
【図２】
2020179118.tif 000004
【図３】
2020179118.tif 000005
【図４】
2020179118.tif 000006
【図５】
2020179118.tif 000007
【図６】
2020179118.tif 000008
(57)【要約】      （修正有）【課題】靴製造後に靴型を取り出し易くし、靴型の長さの変更を可能にした機構を提供する。【解決手段】靴型前部１、靴型中間部２、靴型後部３の３つのパーツからなり、靴型後部に固定された棒が靴型前部をスライドして動き、かつ靴型中間部を履き口から取り出せる形状にすることで、靴型を新たに作らずに靴型の長さを変更することが可能になる。【選択図】図１
2020179197.tif 000002
【特許請求の範囲】
【請求項１】
靴型中間部を履き口から取り出せるようにしたことを特徴とする長さを変えられる靴型。
【発明の詳細な説明】
【技術分野】
【０００１】
本発明は靴型に関するものであり、靴製造後に靴型を取り出し易くする機構に工夫を加えることで、靴型の長さの変更を可能にしたものである。
【背景技術】
【０００２】
靴型は靴製造に使用され、製造後出来上がった靴の履き口より取り出される必要がある。例えば特許文献１に開示されているものがある。
【先行技術文献】
【特許文献】
【０００３】
【特許文献１】特開昭４７−３８１３５
【発明の概要】
【発明が解決しようとする課題】
【０００４】
しかし従来の靴型を取り出し易くする機構では、靴型の長さを変える場合、新しく靴型を作り直す必要があった。ここで言う靴型の長さとは、図５に示す長さのことである。本発明はこれを解決することを課題とする。
【課題を解決するための手段】
【０００５】
この課題を解決するための請求項１の発明は、靴型に図５に示すつま先からかかと方向に穴を開け、３つに切断、靴型後部の穴に棒を固定し、靴型前部の穴を、この棒がスライドして動くことで、長さを変えられるようにしたことを特徴とする靴型である。靴製造後は、靴型中間部を履き口より取り出し、靴型後部をつま先方向へ移動することで靴型の長さが短くなり、靴型と靴に隙間ができ、靴型を取り出すことが容易になる。ここで言うつま先方向とは、図５に示すつま先の方向のことである。
【発明の効果】
【０００６】
本発明により、新たに靴型を作らずとも靴型の長さ変更が可能になり、時間とコストを削減できる。
【図面の簡単な説明】
【０００７】
【図１】本発明の実施例を示す斜視図である。
【図２】本発明の靴型前部の側面図及び背面図である。
【図３】本発明の靴型中間部の正面図及び側面図である。
【図４】本発明の靴型後部の正面図及び側面図である。
【図５】靴型の部位の名称を示すための側面図である。
【発明を実施するための形態】
【０００８】
靴型の長さを変えるという目的を、製造後の靴を取り出す機能を損なわずに実現した。
【実施例１】
【０００９】
図１は、靴型中間部と靴型後部の間に、１ミリ厚のワッシャーを５枚挟んだ実施例である。
靴型の長さはこのワッシャーの枚数を調整することで、１ミリ〜５ミリの長さの調整が可能となる。
【産業上の利用可能性】
【００１０】
新たに靴型を作らずとも、長さを変えた靴の製造が可能となるため、産業上の利用可能性を有する。
【符号の説明】
【００１１】
１  靴型前部
２  靴型中間部
３  靴型後部
４  ワッシャー
５  靴型の長さ
６  つま先
７  かかと
【図１】
2020179197.tif 000003
【図２】
2020179197.tif 000004
【図３】
2020179197.tif 000005
【図４】
2020179197.tif 000006
【図５】
2020179197.tif 000007
(57)【要約】      （修正有）【課題】内面の乾燥が不充分で非衛生的であり、縦置きができ水の排出が容易となり衛生的に保管できる洗面器を提供する。【解決手段】洗面器側面に円形部１と平面部２を設ける。平面部に３本の脚部４，５を設け縦置きが安定するように設ける。脚部の長さは上部の脚部４より下部の脚部５を長くして平面部が斜面となるように設け、洗面器内の排水が完全にできるように設ける。【選択図】図１
2020179102.tif 000002
【特許請求の範囲】
【請求項１】
洗面器の側面に円形部と平面部を設けた洗面器。
【請求項２】
洗面器の平面部外側の上部に２ヶ所、下部に１ヶ所の脚部を設けた洗面器。
【請求項３】
洗面器の脚部の長さは、上部の２ヶ所よりも下部の１カ所を長くした洗面器。
【発明の詳細な説明】
【技術の分野】
【０００１】  本発明は、縦置きができる洗面器に関するものである。
【背景技術】
【０００２】  従来の洗面器は、円形で使用後の水を排水するには、裏返しで保管したり、壁面に立て掛けたりして使用しているが、排水が十分でなかったり、不安定な置き方のために転がって横置きになり水が残った状態となり衛生的な保管が困難である。また、円形の洗面器は使いやすいが保管しにくい形状である。
立てられる洗面器としては（特許文献１参照）、ミラー付き洗面器立て（特許文献２参照）や洗い容器として考案されているものがある（特許文献３参照）さらに、円形洗面器の一部を平面としたものも知られている（非特特文献１参照）。
【先行技術文献】
【特許文献】
【０００３】
【特許文献１】特開２０１３−０９４５２４
【特許文献２】▲１１▼実用新案出願公開平２−５７４８０
【特許文献３】▲１１▼実用新案出願公開平２−５７４９０
【非特許文献】
【０００４】
【非特許文献１】意匠登録１１１５５８８
【発明の概要】
【発明が解決しようとする課題】
【０００５】  従来の洗面器は通常の横置きの安定した状態で保管すれば、洗面器内の水分が底に溜まってしまい衛生的ではない。また、水切りのために壁面に立てかけておいても接地面が円形のために不安定で排水が不十分である。
洗面器の利便性を高めて直線部を設けた洗面器（非特許文献１参照）であっても、内部に水が溜まるので衛生上の問題は解決されていない。
本発明は、以上の問題点を解決し、衛生的に保管できるようになされたものである。
【課題を解決するための手段】
【０００６】  洗面器の側面に円形部と平面部を設ける。その平面部外側の上部に２ヶ所、下部に１ヶ所の脚部を設ける。脚部の長さは、上部２つの脚部より下部１つの脚部を長く設ける。
本発明は、以上の構成よりなる縦置きができる洗面器である。
【発明の効果】
【０００７】  洗面器の平面部に脚部を３カ所設けたので、洗面器を縦置きにしても安定している。  洗面器を縦置きにした時、脚部によって平面部が斜面となるので、洗面器内の排水が容易になり、内部が乾きやすく衛生的な保管ができる。
縦置きができるので最小限のスペースでの保管ができる。
【図面の簡単な説明】
【０００８】
【図１】本発明の横置き斜視図
【図２】本発明の縦置き斜視図
【図３】本発明の縦置き背面の斜視図
【発明を実施するための形態】
【０００９】以下、本発明の実施の形態を説明する。
（イ）本発明の洗面器は、円形部（１）と平面部（２）と底面部（３）を設ける。
（ロ）洗面器の平面部の上部２ヶ所に脚部（４）を設ける。
（ハ）洗面器の平面部の下部１ヶ所に脚部（４）よりも長い脚部（５）を設ける。
本発明は以上の構成よりなる。
本発明を使用する場合は、通常の洗面器として使用後に床面や棚に洗面器の脚部を下にして縦置きとし衛生的に保管する。
【符号の説明】
【００１０】１  円形部
２  平面部
３  底面部
４  上部の脚部
５  下部の脚部
６  床面
【図１】
2020179102.tif 000003
【図２】
2020179102.tif 000004
【図３】
2020179102.tif 000005
(57)【要約】【課題】ペットボトルのキャップに誰でも簡単にきれいな穴を怪我無くあけることができるキャップ穴あけ装置を提供する。【解決手段】キャップ穴あけ装置は、箱型の上部（１）と箱型上部の中心に埋め込まれた刃部（２）と箱型の下部（３）で構成され、ペットボトルのキャップ（４）を台座（３−１）の上に被せ、箱型の上部（１）を箱型の下部（３）に被せる。円柱形状のボタン（２−１）を上から手で体重をかけて押すことにより、刃を貫通させ穴をあける。【選択図】図２
2020179929.tif 000002
【特許請求の範囲】
【請求項１】
ペットボトルにストローの差込口を作るキャップ穴あけ装置。このキャップ穴あけ装置は箱型の上部（１）と箱型上部の中心に埋め込まれた刃部（２）と箱型の下部（３）で構成され、刃部には上下稼働する円柱形状の強化樹脂で出来たボタン（２−１）と、その円柱形状ボタンの下部に金属で出来た刃（２−２）を埋め込み固定し、箱型下部に刃を受ける為の穴があいた金属で出来た台座（３−１）を埋め込んだものを有することを特徴とするキャップ穴あけ装置。
【請求項２】
ペットボトルにストローの差込口を作るキャップ穴あけ装置は、箱型の上部（１）と箱型上部の中心に埋め込まれた刃部（２）と箱型の下部（３）で構成されてあることを特徴とする。
【発明の詳細な説明】
【技術分野】
【０００１】  本発明は、ペットボトルにストローの差込口を作る為キャップに穴をあける装置に関するものである。
【背景技術】
【０００２】  コンサートやイベントなどのステージでの水分補給の際に、ペットボトルのキャップにハサミやカッターで穴をあけストローの差込口を作るが、その穴を誰でも簡単にきれいな穴をあけられるように解決しようとするものである。
【発明の概要】
【発明が解決しようとする課題】
【０００３】  ペットボトルのキャップに穴をあける際にハサミやカッターを用いることが多く、怪我の可能性やちょうど良い穴を簡単にあける装置がなかった。
【課題を解決するための手段】
【０００４】  請求項にかかわる発明はペットボトルのキャップにストローの差込口を作るキャップ穴あけ装置において当該キャップ穴あけ装置は、箱型の上部（１）と箱型上部の中心に埋め込まれた刃部（２）と箱型の下部（３）で構成され、刃部には上下稼働する円柱形状の強化樹脂で出来たボタン（２−１）と、その円柱形状ボタンの下部に金属で出来た刃（２−２）を埋め込み固定し、箱型下部に刃を受ける為の穴があいた金属で出来た台座（３−１）を埋め込んだものを有することを特徴とするキャップ穴あけ装置である。
【図面の簡単な説明】
【０００５】
【図１】キャップ穴あけ装置の平面図
【図２】図１にかかる装置のＡ−Ｂ線の断面図
【図３】キャップ穴あけ装置の底面図
【図４】請求項１にかかる刃部の断面図
【図５】請求項１にかかるキャップを乗せる台座の断面図
【図６】使用時の図及びその断面図を示す実施例
【図７】ペットボトルのキャップにストローを挿入した使用状態を示す図
【発明を実施するための形態】
【０００６】  キャップ穴あけ装置は箱型の上部（１）と箱型上部の中心に埋め込まれた刃部（２）と箱型の下部（３）で構成され、箱型の上部（１）は強化樹脂等で作製し、刃部（２）は円柱形状のボタン（２−１）を強化樹脂等で作製し、その円柱形状ボタンの下部に埋め込み固定した刃（２−２）を金属で作製。箱型の下部（３）は強化樹脂等で作製し、刃を受ける為の穴があいた台座（３−１）を金属で作製する。
【０００７】  次に操作方法を説明する。先ずペットボトルのキャップを外し台座（３−１）の上に被せる。次に箱型の上部（１）を箱型の下部（３）に被せ、円柱形状のボタン（２−１）を上から手で体重をかけて押す。これにより円柱形状のボタンに埋め込まれた刃がキャップを貫通し所望の径の穴をあけることができる。キャップの切屑が刃に詰まらないように刃の先はカーブの形状である。
【０００８】  図７は使用の状態を示したものである。キャップ穴あけ装置によって作られた穴のあいたキャップをペットボトルに固定し穴にストローを挿入したものである。
【産業上の利用可能性】
【０００９】  本発明は、コンサートやイベント等で用いる容器の飲み口等の製造に利用可能である。
【符号の説明】
【００１０】１      キャップ穴あけ装置の箱型上部
２      刃部
２−１  円柱形状のボタン
２−２  刃
２−３  円柱形状のボタンの空洞部
３      キャップ穴あけ装置の箱型下部
３−１  台座
４      ペットボトルのキャップ
【図１】
2020179929.tif 000003
【図２】
2020179929.tif 000004
【図３】
2020179929.tif 000005
【図４】
2020179929.tif 000006
【図５】
2020179929.tif 000007
【図６】
2020179929.tif 000008
【図７】
2020179929.tif 000009
(57)【要約】【課題】  従来の印鑑は、印影の一致のみで正当な印鑑と認識される為、偽造されやすいという問題があった。【解決手段】  印鑑の外枠（外縁部）の外側に小さなくぼみを設けることにより、押印時に印影だけでなく、用紙の裏面にくぼみが生じるため、印影とくぼみの両方で本物の印鑑で捺印されたことが判明できる。【特許請求の範囲】
【請求項１】
印鑑の偽造を防止する目的で、印鑑の印字面の外枠（外縁部）の外側に小さなくぼみを一箇所若しくは複数個所設け、押印時に印影とともに用紙の裏面から見れば外縁部の一部にくぼみが生じる印鑑。
【発明の詳細な説明】
【技術分野】
【０００１】  この発明は用紙に印影だけでなく、印鑑の外枠（外縁部）の外側に肉眼で微かに分かるぐらいの小さなくぼみを設けることにより、押印時に用紙の裏面に凹凸が生じるため、印影と凹凸の両方で本物の印鑑で捺印されたことが判明できる印鑑に関するものである。
【背景技術】
【０００２】  従来、印鑑は押印時に用紙に表示されるのは印影のみであった。
【先行技術文献】
【特許文献】
【０００３】
【特許文献１】特開  ２００５−６６８３７号公報
【発明の概要】
【発明が解決しようとする課題】
【０００４】  従来の印鑑は、印影の一致のみで正当な印鑑と認識される為、印影の写しがあれば簡単に偽造されやすいという問題があった。
【課題を解決するための手段】
【０００５】  印鑑の外枠（外縁部）の外側に、個々の印鑑毎に異なる位置に、肉眼で微かに分かるぐらいの小さなくぼみを一箇所若しくは複数個所設ける。本発明は、以上のような構成よりなる印鑑である。
【発明の効果】
【０００６】  捺印マットの弾力性と押印時に外枠へ圧力をかけることで、印影は鮮明に生じるが、用紙の裏面から見れば外縁部の一部に凹凸が生じるため、用紙の表側の印影と裏側の外枠（外縁部）の凹凸の両方を照合することで、正当な印鑑か否かを識別できる。
もし、偽造された印鑑で押印されたものであれば、用紙の裏面に本来ならあるべき位置にあるはずの凹凸が無い。
【図面の簡単な説明】
【０００７】
【図１】  本発明の斜視図である。
【図２】  本発明の正面図である。
【図３】  本発明の背面図である。
【図４】  本発明の左側面図である。
【図５】  本発明の右側面図である。
【図６】  本発明の平面図である。
【図７】  本発明の底面図である。
【発明を実施するための形態】
【０００８】  以下、本発明を実施するための形態について説明する。
印鑑（１）の印字部（２）の外枠（外縁部）の外側に小さなくぼみ（３）がある。
本発明は、以上のような構造である。これを使用するときは、捺印マットに用紙を置き、押印する。
【符号の説明】
【０００９】  １  印鑑
２  印字部
３  くぼみ
【図１】
2020179657.tif 000002
【図２】
2020179657.tif 000003
【図３】
2020179657.tif 000004
【図４】
2020179657.tif 000005
【図５】
2020179657.tif 000006
【図６】
2020179657.tif 000007
【図７】
2020179657.tif 000008
(57)【要約】【課題】冷凍庫内に保冷剤を一か所にまとめて収納してしまうと、冷凍庫内の食材スペースが減るだけでなく、停電が発生した際、保冷剤本来の効果を発揮せず、食材が傷んでしまうおそれがある。  本発明は、保冷剤を収納できる仕切りを提供する。【解決手段】自立型の底板と容器からなり、容器の上部口から保冷剤を挿入する。容器の両側壁には複数の外部との空間を設ける。このような構成から、保冷剤と仕切りを一体化させることを特徴とする。【選択図】図１
2020134118.tif 000002
【特許請求の範囲】
【請求項１】
自立型の底板と容器から成り、容器には保冷剤のスペースといかなる形状でも良い複数の通気口を設けている仕切り。
【発明の詳細な説明】
【技術分野】
【０００１】  本発明は、冷凍庫内において保冷剤を入れる仕切りに関するものである。
【背景技術】
【０００２】  従来、冷凍庫内の食材の収納としてはプラスチック製品等の仕切りや容器を活用していた。また、果実輸送としての保冷容器は存在するが、冷凍庫内での区画容器ではない。（特許文献１参照）。
【先行技術文献】
【特許文献】
【０００３】
【特許文献１】特開２０１７−４７９６８
【発明の概要】
【発明が解決しようとする課題】
【０００４】  冷凍庫内に保冷剤を一か所にまとめて収納してしまうと、冷凍庫内の食材スペースが減るだけではなく、停電が発生した際、保冷剤本来の効果を発揮せず、食材が傷んでしまう。
本発明は、以上の問題点を解決するためになされたものである。
【課題を解決するための手段】
【０００５】  自立型の底板と容器から成り、容器の上部口から市販の保冷剤を挿入する。容器の側壁には複数の外部との空間を設ける。このような構成から、冷凍庫内の保冷剤と仕切りを一体化させることを特徴とする用具。
【発明の効果】
【０００６】  本発明により、保冷剤を冷凍庫の一か所にまとめて保管する必要がなくなり、冷凍庫内の食材を容易に収納することができる。また、容器には外部との空間を設けているので冷気が対流し、停電の際には長期間にわたって保冷機能を維持できる。保冷剤を容器に挿入しない時は、製氷皿を挿入することで氷を作ることも可能である。
【図面の簡単な説明】
【０００７】
【図１】本発明の斜視図
【図２】保冷剤を入れた時の外観図
【図３】製氷皿を入れる様子の外観図
【発明を実施するための形態】
【０００８】  以下、本発明の実施の形態を説明する。
（イ）本発明は、自立した底板（１）と容器（２）から構成される。
（ロ）容器の両側壁には冷気を循環させるため複数の通気口（４）を設ける。
（ハ）材質については合成樹脂等を想定しているが、他の材質によるものであっても本発      明に含まれるものである。
本発明は以上のような構造である。
本発明を使用する時は、上部口（３）から市販の保冷剤（５）を挿入する。
保冷剤を挿入しない時は、製氷皿（６）を上部口（３）から挿入することにより、冷凍庫内で氷も作ることが可能である。
【符号の説明】
【０００９】  １  底板、２  容器、３  上部口、４  通気口、５  保冷剤、６  製氷皿
【図１】
2020134118.tif 000003
【図２】
2020134118.tif 000004
【図３】
2020134118.tif 000005
(57)【要約】【課題】鏡を配置し、一回の撮影で多方向から被写体の像を得られる写真の撮影を可能とする。【解決手段】鏡を介して被写体の像を反射させる。反射せた鏡の像を被写体の真上からカメラを設置し撮影することによって多方向の写真を一回で撮影する。【選択図】図１
2020134915.tif 000002
【特許請求の範囲】
【請求項１】
被写体の周囲３６０度に鏡を配置し、被写体の大きさがほぼ同じ大きさとなる多方向同時撮影を容易に可能とする方法。
【発明の詳細な説明】
【技術分野】
【０００１】本発明は、被写体の大きさがほぼ同じ大きさとなる全方向撮影が容易な撮影仕組みに関するものである。
【背景技術】
【０００２】ＶＲ、ＡＲ、ＭＲといった技術が普及してきた昨今、平面の写真を多方向で鑑賞したいといった需要が徐々に高まっているが、撮影環境の導入が容易でないことも事実である。
その理由として被写体の３６０度を撮影する為には、回転台やカメラを回す必要があるが、ハードウェア自体が高価であることと、場所によっては設置が難しい場合もある。
ノーマルミラーフォト３６０は一回の撮影で、多方向から撮影ができる為、現在の撮影方法で被写体を回す為の回転台や回転カメラがなくても簡単に撮影できる手法である。
被写体と鏡の上方向にカメラを設置し、鏡を被写体の３６０度に設置することで、多方向を一回の撮影で写すことが可能になる。ハードウェアを回転させる手法に比べると安価で、誰でも簡単に撮影することができる。
【発明の概要】
【発明が解決しようとする課題】
【０００３】解決しようとする問題点は、写真撮影時に多方向で撮影するためには被写体を手動で移動させるか、回転台等を使って回して、必要な枚数分撮影しなければならない。その分撮影に時間がかかるのと、シャッターを押した分、カメラ本体の劣化にもつながる。
本発明のノーマルミラーフォト３６０の撮影手法を取り入れると、一回の撮影で多方向の撮影が可能になる為、作業効率面での利点がある。そしてカメラ本体の劣化防止にもつながる。
【図面の簡単な説明】
【０００４】
【図１】ノーマルミラーフォト３６０の４方向の説明図である。（実施例１）
【図２】ノーマルミラーフォト３６０の５方向の説明図である。（実施例２）
【図３】ノーマルミラーフォト３６０の６方向の説明図である。（実施例３）
【図４】ノーマルミラーフォト３６０の６方向撮影の説明図である。（実施例４）
【発明を実施するための形態】
【０００５】被写体の３６０度に必要なカット数に合わせて普通の鏡を３６０度設置する。被写体の真上にカメラを設置し、撮影をすることで一回の撮影で多方向の撮影を実現した。
【発明を実施するための形態】
【０００６】鏡は普通の鏡を使用。
被写体から鏡までの距離は全鏡統一させる。
鏡の角度は約１０度〜８０度の間、被写体の各面の大きさから１．５倍以上の鏡を使用。
被写体の大きさによるが、鏡の枚数を６枚以上増やすことも可能。
【産業上の利用可能性】
【０００７】撮影の回数を減らしたい場合、簡単に３６０度多方向撮影を撮影をしたい時に適当できる。
【符号の説明】
【０００８】１被写体の周り３６０度設置する鏡。
２被写体の置き場。
３カメラ。
【図１】
2020134915.tif 000003
【図２】
2020134915.tif 000004
【図３】
2020134915.tif 000005
【図４】
2020134915.tif 000006